(57)【特許請求の範囲】
【請求項１】
場所打ちコンクリート杭成型用籠型鉄筋の主筋に直接又はこの主筋に包着した縁切用合成樹脂製パイプに連結固定するための門型垂直棒と、この垂直棒に直角に固着するためのカートリッジ型膨張性破砕材用支承棒とで構成した保持具において、前記支承棒の端部側を高さが低い略長方形のループ状に曲折して前記膨張性破砕材の保持部を保持部を膨張性破砕材を挿入した後にこの内部で膨張性破砕材をスライドさせることが可能に形成するとともに、この保持部と前記垂直棒との間に前記合成樹脂製パイプを包着した主筋の挿入用スペースを設けたことを特徴とする場所打ちコンクリート杭の余盛コンクリート分断用のカートリッジ型膨張性破砕材用保持具。
【請求項２】
保持部を形成する支承棒のループ状端部は、支承棒の他の一部に接近した自由端とした請求項１記載の場所打ちコンクリート杭の余盛コンクリート分断用のカートリッジ型膨張性破砕材用保持具。
【請求項３】
同一の垂直棒に対して、複数の支承棒を固着し、この支承棒に水平方向にピッチをずらした保持部を形成した請求項１又は請求項２記載の場所打ちコンクリート杭の余盛コンクリート分断用のカートリッジ型膨張性破砕材用保持具。
【発明の詳細な説明】
【０００１】
【発明の属する技術分野】
この発明は、場所打ちコンクリート杭の余盛部分を分断するために用いる断面楕円形状に形成したカートリッジ型膨張性破砕材をセットする際に、前記膨張性破砕材を正常な姿勢で保持するとともに、これを場所打ちコンクリート杭成型用籠型鉄筋の主筋に取り付ける際に、セットした膨張性破砕材が不慮に脱落することを防止した場所打ちコンクリート杭の余盛コンクリート分断用のカートリッジ型膨張性破砕材用保持具に関するものである。
【０００２】
【従来の技術】
建築物の基礎杭は、いわゆる場所打ちコンクリート杭が用いられることが一般である。この場所打ちコンクリート杭は、地中に所望の深さの穴を掘り、籠型に形成した鉄筋を挿入し、この中にコンクリートを打設養生して形成するものである。
【０００３】
しかし打設されたコンクリートには、その穴中における土等の不純物が混入することになるところ、この不純物は硬化する前のコンクリート中において徐々に浮上する特性を有するため、一般の施工に際しては、杭として必要とする長さよりも長くなるようにコンクリートを余盛し、この余盛層、すなわち不純物を含むために強度の低い部分を硬化した後に除去又は分断除去することが行われている。
【０００４】
このように余盛層を分断する手段としては、通常膨張性破砕材を用いることが一般化しているが、この膨張性破砕材によって分断する場合、まさに正常コンクリート層と余盛コンクリート層の境界を分断し、正常コンクリート層にクラック等の破壊が生じないようにするため、前記膨張性破砕材は、断面楕円形状の袋体又はパイプに収納し、かつこの袋体に収納した膨張性破砕材の状態が、横楕円形状の姿勢を保つようにセットするのである。
【０００５】
また分離される余盛層内に籠型鉄筋のループ筋の上方に飛出する主筋が存在するために、余盛層が直接主筋に接触しては分断後の余盛層を引き抜くことが非常に困難又は不可能となるため、余盛層となるべき位置における主筋には、例えば発泡樹脂製のパイプを縁切材として各主筋に包着せしめておき、このパイプに前記袋又はパイプに収納した膨張性破砕材を取り付けることが行われているのである。
【０００６】
前記のように膨張性破砕材の取り付け方法として、古く行われていた方法（第一の方法）は、図５に示すように、袋入りの膨張性破砕材ａを、その断面の長い直径が水平横向きとなるように主筋に包着した合成樹脂製パイプｂに結束線ｃで締結していた。
【０００７】
その後開発された他の方法（第二の方法）は、図６に示すように主筋に門型垂直棒ｄを沿わせて配した後、この門型垂直棒ｄを含む主筋に、前記合成樹脂製パイプｂを被せ、その後合成樹脂製パイプｂの外周から結束線ｃで前記合成樹脂製パイプｂ、門型垂直棒ｄ及び主筋を連結するとともに、前記垂直棒ｄに膨張性破砕材ａを取り付けすためのフック状門型支承棒ｅを水平状にに連結し、この支承棒ｅに前記膨張性破砕材ａを、その断面の長い直径が横向きとなるように取り付ける方法であった。
【０００８】
またさらにその後開発された他の方法（第三の方法）は、図７に示すように、垂直板ｄ’に対して凹部ｆを有する棚部ｅ’を直角状に一体形成し、これをバンドｇにより前記凹部ｆに膨張性破砕材ａを締結する方法であった。
【０００９】
【発明が解決しようとする課題】
ところが前記第一の方法によると、膨張性破砕材ａを結束線ｃで締結してあるとはいえ、垂直棒ｂに対する前記膨張性破砕材ａの姿勢がはなはだ不安定であるために、何らかの衝撃が加わることにより膨張性破砕材ａの向きに変化が生じやすく、特にコンクリートの打設時にその傾向が見られ、予期しない方向にクラックが生じることがあるため、正常に分断しないことがあった。
【００１０】
また第二の方法によれば、前記支承棒ｅには、正常な向きにした膨張性破砕材ａを挟持し得るフックを形成してあるとはいうものの、作業員の錯誤により、その向きを逆、すなわち断面縦長にして取り付けることもあったり、このフックが膨張性破砕材ａの全体を包囲するような形状でなかったため、コンクリート打設時に不慮に外れることもあり、さらには横向きに倒した状態の籠型鉄筋に結束線ｃで取り付ける際に垂直棒ｄをパイプｂに籠型鉄筋の内側から、すなわち下から当てる場合には結束線ｃによる取付け作業に不安定さを強いられるところ、仮に保持具を予めパイプｂを介して籠型鉄筋に取り付けようとすると、袋又はパイプに収納したカートリッジ型膨張性破砕材ａの長さ以内のピッチで前記保持具を取り付けなければならないが、膨張性破砕材ａの長さ以内の主筋ピッチを選定することは熟練した勘を必要とする等、決して容易ではない。
【００１１】
このことは第三の方法においても同様であるのみならず、この第三の方法にあっては、バンドｇによって棚部ｅ’に膨張性破砕材ａを固定しなければならず、かつ前記棚部ｅ’には膨張性破砕材ａを正常な姿勢とした場合に収納できる凹部ｆが形成されているものの、作業員の錯誤によりその姿勢を間違えることもある等、決して理想的なものではなかった。
【００１２】
【課題を解決するための手段】
そこでこの発明に係る場所打ちコンクリート杭の余盛コンクリート分断用のカートリッジ型膨張性破砕材用保持具（請求項１）は前記の課題を解決するために、場所打ちコンクリート杭成型用籠型鉄筋の主筋に直接又はこの主筋に包着した縁切用合成樹脂製パイプに連結固定するための門型垂直棒と、この垂直棒に直角に固着するためのカートリッジ型膨張性破砕材用支承棒とで構成した保持具において、前記支承棒の端部側を高さが低い略長方形のループ状に曲折して前記膨張性破砕材の保持部を形成するとともに、この保持部と前記垂直棒との間に前記合成樹脂製パイプを包着した主筋の挿入用スペースを設けたものである。
【００１３】
またこの発明に係る場所打ちコンクリート杭の余盛コンクリート分断用のカートリッジ型膨張性破砕材用保持具（請求項２）は前記の課題を解決するために、前記保持部を形成する支承棒のループ状端部は、支承棒の他の一部に接近した自由端としたものである。
【００１４】
さらにこの発明に係る場所打ちコンクリート杭の余盛コンクリート分断用のカートリッジ型膨張性破砕材用保持具（請求項３）は前記の課題を解決するために、同一の垂直棒に対して、複数の支承棒を固着し、この支承棒に水平方向にピッチをずらした保持部を形成したものである。
【００１５】
【作用】
すなわち、請求項１に記載したこの発明に係る場所打ちコンクリート杭の余盛コンクリート分断用のカートリッジ型膨張性破砕材用保持具にあっては、支承棒に形成したループ状の保持部中に袋又はパイプに収納したカートリッジ型膨張性破砕材を挿入した後にこの内部で膨張性破砕材をスライドさせることが可能であるから、この保持具を合成樹脂製パイプに取り付ける際に、膨張性破砕材の長さに相応するピッチを選んで取り付けることが可能であるとともに、保持部のループ状の形状に拘束されるため、膨張性破砕材の取り付け向きは必然的に正常な姿勢をなすことになり、かつこれを籠型鉄筋に取り付ける場合には、この籠型鉄筋を横倒しにした状態で垂直棒と保持部との間に形成された挿入用スペースに、すでに主筋に包着した合成樹脂製パイプを挿入することによって係止することができるので、この取り付けが容易であるのみならず、膨張性破砕材の向きも常に正常を維持することになるのである。
【００１６】
請求項２に記載したこの発明に係る場所打ちコンクリート杭の余盛コンクリート分断用のカートリッジ型膨張性破砕材用保持具にあっては、前記の作用に加えて、保持部自体に弾性が生じるため、厚さの多少異なる膨張性破砕材をも支承することができるのみならず、支承に際しては膨張性破砕材に対して弾圧が作用するので、不慮に離脱したり向きの変化も生じない。
【００１７】
請求項３に記載したこの発明に係る場所打ちコンクリート杭の余盛コンクリート分断用のカートリッジ型膨張性破砕材用保持具にあっては、前記までの作用に加え、分断せんとする余盛の径に対応して複数の膨張性破砕剤を平行に取り付けることができるのである。
【００１８】
【発明の実施の形態】
次にこの発明に係る場所打ちコンクリート杭の余盛コンクリート分断用のカートリッジ型膨張性破砕材用保持具の実施の形態を図１乃至図４に基づいて述べると、１は略門型に形成した垂直棒であり、２はこの垂直棒１に直角に固着した支承棒である。
【００１９】
そしてこの支承棒２は、その端部側を高さの低い略長方形のループ状に曲折してその端部を保持部３としてある。すなわち、この保持部３には、袋体又はパイプに収納し、かつ断面が楕円形状に形成したカートリッジ型膨張性破砕材４を、その断面の長い直径を水平横向きにして挿入可能な空間を形成してある。
【００２０】
また保持部３を形成する支承棒２の端部は、その支承棒２の他の一部に固着することなく、接近させた自由端５としてある。
【００２１】
さらに同一の垂直棒１に対して複数の支承棒２，２’を固着し、この支承棒２，２’に水平方向にピッチをずらした保持部３を形成することもある（図４参照）。
【００２２】
しかして前記支承棒２により形成した保持部３に袋詰め又はパイプに収納したカートリッジ型膨張性破砕材４を、楕円形の長い直径が水平横向きの姿勢で挿入する。
【００２３】
一方、籠型鉄筋を横倒しにした状態で、主筋６に対して発泡樹脂製のパイプ７を包着する。そしてこのパイプ７に対して前記のように形成し、かつカートリッジ型膨張性破砕材４を装着した保持具を、垂直棒１が籠型鉄筋の外側になり膨張性破砕材４を内側になるようにして取り付けるのである。したがってこの場合、保持具の垂直棒１と保持部３との間に、前記パイプ７を挿入させるための挿入用スペースＳを形成しておくものとする。前記パイプ７は余盛コンクリートと主筋との縁切材としての機能を営むものであり、しかも前記保持治具が主筋から不慮に外れたり位置ずれすることを防止するために、パイプ７の外周から結束線（図示せず）により固定するのである。
【００２４】
また１本のカートリッジ型膨張性破砕材４は、比較的に長尺な状態にして用いるものであるが、それにしても単一の籠型鉄筋には複数の膨張性破砕材４が使用され、かつ各膨張性破砕材４は２個又は３個の保持具を用いて複数の主筋６に対してパイプ７を介して用いられるため、前記籠型鉄筋中において、断続的な円形をなすように配設される。
【００２５】
また分断せんとするコンクリート杭の直径如何によっては、前記カートリッジ型膨張性破砕材４を太めに形成したもの、または図４に示すように２列（複数列）に配設するもの、さらには図示しないがコンクリート杭の横断方向に配設することもある。
【００２６】
尚、以上において使用する膨張性破砕材（剤）４としては、例えば膨張材、加圧成形したもの又は膨張性燒結体の粗砕したもの、石灰系、カルシウムサルフォアルミネート系、仮焼ドロマイト系、マグネシア系、普通ポルトランドセメント−高炉スラグ−ボーキサイト−石こう系、アルミナセメント−石灰−石こう系、カルシウムアルミネート−石灰−石こう系等のセメント膨張材であり、この中には「ブライスター」（株式会社小野田製の商品名）も含まれる。
【００２７】
【発明の効果】
前記のようにこの発明に係る場所打ちコンクリート杭の余盛コンクリート分断用のカートリッジ型膨張性破砕材用保持具（請求項１）によれば、場所打ちコンクリート杭成型用籠型鉄筋の主筋に直接又はこの主筋に包着した縁切用合成樹脂製パイプに連結固定するための門型垂直棒と、この垂直棒に直角に固着するためのカートリッジ型膨張性破砕材用支承棒とで構成した保持具において、前記支承棒の端部側を高さが低い略長方形のループ状に曲折して前記膨張性破砕材の保持部を形成するとともに、この保持部と前記垂直棒との間に前記合成樹脂製パイプを包着した主筋の挿入用スペースを設けてあるので、支承棒に形成したループ状の保持部中に袋又はパイプに収納したカートリッジ型膨張性破砕材を挿入した後にこの内部で膨張性破砕材をスライドさせることが可能であるから、この保持具を合成樹脂製パイプに取り付ける際に、膨張性破砕材の長さに相応するピッチを選んで取り付けることが可能であるとともに、保持部のループ状の形状に拘束されるため、膨張性破砕材の取り付け向きは必然的に正常な姿勢をなすことになり、かつこれを籠型鉄筋に取り付ける場合には、この籠型鉄筋を横倒しにした状態で垂直棒と保持部との間に形成された挿入用スペースに、すでに主筋に包着した合成樹脂製パイプを挿入することによって係止することができるので、この取り付けが容易であるのみならず、膨張性破砕材の向きも常に正常を維持することができるという効果を有するのである。
【００２８】
またこの発明に係る場所打ちコンクリート杭の余盛コンクリート分断用のカートリッジ型膨張性破砕材用保持具（請求項２）によれば、前記保持部を形成する支承棒のループ状端部は、支承棒の他の一部に接近した自由端としてあるので、前記の効果に加えて、保持部自体に弾性が生じるため、厚さの多少異なる膨張性破砕材をも支承することができるのみならず、支承に際しては膨張性破砕材に対して弾圧が作用するので、不慮に離脱したり向きの変化も生じないという効果を有するのである。
【００２９】
さらにこの発明に係る場所打ちコンクリート杭の余盛コンクリート分断用のカートリッジ型膨張性破砕材用保持具（請求項３）によれば、同一の垂直棒に対して、複数の支承棒を固着し、この支承棒に水平方向にピッチをずらした保持部を形成してあるので、前記までの効果に加え、分断せんとする余盛の径に対応して複数の膨張性破砕剤を平行に取り付けることができるという効果を有するのである。
【図面の簡単な説明】
【図１】この発明に係る場所打ちコンクリート杭の余盛コンクリート分断用のカートリッジ型膨張性破砕材用保持具の一実施例を示す斜視図である。
【図２】この発明に係る場所打ちコンクリート杭の余盛コンクリート分断用のカートリッジ型膨張性破砕材用保持具の使用状態の一例を示す斜視図である。
【図３】図２のＡ−Ａ線断面図である。
【図４】この発明に係る場所打ちコンクリート杭の余盛コンクリート分断用のカートリッジ型膨張性破砕材用保持具の他例を示す斜視図である。
【図５】従来例を示す斜視図である。
【図６】従来例を示す斜視図である。
【図７】従来例を示す斜視図である。
【符号の説明】
１  垂直棒
２  支承棒
３  保持部
４  膨張性破砕材
５  自由端
６  主筋
７  パイプ
Ｓ  挿入用スペース
【図１】
0003684515.tif 000002
【図２】
0003684515.tif 000003
【図３】
0003684515.tif 000004
【図４】
0003684515.tif 000005
【図５】
0003684515.tif 000006
【図６】
0003684515.tif 000007
【図７】
0003684515.tif 000008